(57)【要約】【課題】ポンプの小型化が図れ、駆動機のメンテナンスが容易に行なえ、ポンプ運転可能水位を低く取ることができる横軸ポンプを提供すること。【解決手段】ポンプ吸込口３１の中心軸がポンプ吐出口３３の中心軸と水平であり且つポンプ吸込口３１の中心軸がポンプ吐出口３３の中心軸よりも下側に位置するようにポンプ内の水路をその途中で偏心し、ポンプ吐出口３３側の水路内にインペラ１５を収納するとともに、偏心することで生じたポンプ吸込口３１側の水路の上部空間に駆動機１９を設置し、駆動機１９とインペラ１５間を水平に設置したポンプ軸５３によって連結してなる横軸ポンプ１０である。【選択図】      図１
2004190567.tif 000002
【特許請求の範囲】
【請求項１】
ポンプ吸込口の中心軸がポンプ吐出口の中心軸と水平であり且つポンプ吸込口の中心軸がポンプ吐出口の中心軸よりも下側に位置するようにポンプ内の水路をその途中で偏心し、ポンプ吐出口側の水路内にインペラを収納するとともに、偏心することで生じたポンプ吸込口側の水路の上部空間に駆動機を設置し、駆動機とインペラ間を水平に設置したポンプ軸によって連結したことを特徴とする横軸ポンプ。
【発明の詳細な説明】
【０００１】
【発明の属する技術分野】
本発明は、横軸ポンプに関するものである。
【０００２】
【従来の技術】
図３は従来の横軸ポンプ（チューブラポンプ）８０を示す全体概略構成図である。同図に示すようにこの横軸ポンプ８０は、ケーシング８１内に、ポンプ軸８３と、ポンプ軸８３の一端に固定されるインペラ８５と、ポンプ軸８３の他端に連結される駆動機８７とを収納して構成されている。なお９１はガイドベーン、９３はフラップ弁である。そして駆動機８７を駆動すればインペラ８５が回転し、ポンプ吸込口９５から吸い込まれた水がポンプ吐出口９７から吐出されていく。
【０００３】
また図４は従来の横軸ポンプゲート１００を示す全体概略構成図である。同図に示すようにこの横軸ポンプゲート１００は、水路を開閉するゲート１２０に排水用の横軸ポンプ１３０を組み込んで構成されている。横軸ポンプ１３０は、略水平に設置されたケーシング１０１内に、ポンプ軸１０３と、ポンプ軸１０３の一端に固定されるインペラ１０５と、ポンプ軸１０３の他端に連結される駆動機（水中モータ）１０７とを収納して構成されている。そして駆動機１０７を駆動すればインペラ１０５が回転し、ポンプ吸込口１１５から吸い込まれた水がポンプ吐出口１１７から吐出、排水される。
【０００４】
しかしながら上記横軸ポンプ８０，１００には、以下のような問題点があった。
▲１▼駆動機８７，１０７等からなる駆動部がポンプのケーシング８１，１０１内に設置されるので、ポンプ全体の外形寸法（外径寸法と長さ寸法の両者）が大きくなる。
【０００５】
▲２▼駆動機８７，１０７等からなる駆動部がポンプ内に設置されるので、駆動部のメンテナンスが困難になる。
【０００６】
▲３▼ポンプ吸込口９５，１１５とポンプ吐出口９７，１１７とが同一直線上にあるので、ポンプ吸込口９５，１１５の位置が高く、ポンプ運転可能水位が低く取れない。
【０００７】
【発明が解決しようとする課題】
本発明は上述の点に鑑みてなされたものでありその目的は、ポンプの小型化が図れ、駆動機のメンテナンスが容易に行なえ、ポンプ運転可能水位を低く取ることができる横軸ポンプを提供することにある。
【０００８】
【課題を解決するための手段】
上記問題点を解決するため本願の請求項１にかかる発明は、ポンプ吸込口の中心軸がポンプ吐出口の中心軸と水平であり且つポンプ吸込口の中心軸がポンプ吐出口の中心軸よりも下側に位置するようにポンプ内の水路をその途中で偏心し、ポンプ吐出口側の水路内にインペラを収納するとともに、偏心することで生じたポンプ吸込口側の水路の上部空間に駆動機を設置し、駆動機とインペラ間を水平に設置したポンプ軸によって連結したことを特徴とする横軸ポンプにある。このように駆動機をポンプ吸込口側の水路の上部空間（外部）に設置したので、水路内に駆動機等の駆動部を収納する必要がなく、駆動機を含むポンプ全体の小型化が図れるばかりか、駆動機のメンテナンスが容易に行なえるようになる。またポンプ吸込口がポンプ吐出口よりも低い位置に位置するので、ポンプ運転可能水位が低くなる。
【０００９】
【発明の実施の形態】
以下、本発明の実施の形態を図面を参照して詳細に説明する。
図１は本発明の一実施の形態にかかる横軸ポンプ１０を示す全体概略構成図である。同図に示すようにこの横軸ポンプ１０は例えば排水設備に設置されるポンプであり、ケーシング１１によって形成されるポンプ内の水路をその途中で偏心（屈曲部３５）させ、これによってポンプ吸込口３１の中心軸がポンプ吐出口３３の中心軸と水平であり且つポンプ吸込口３１の中心軸がポンプ吐出口３３の中心軸よりも下側に位置するようにし、さらにポンプ吐出口３３側の水路内にインペラ１５及びガイドベーン１７を設置し、インペラ１５にその一端を固定したポンプ軸１３を前記ケーシング１１の屈曲部３５からポンプの外部に水平に引き出してその端部に駆動機１９を連結して構成されている。ケーシング１１によって形成される水路は、吸込水槽４０と吐出水槽４５間を連結している。なおポンプ吐出口３３には、吐出弁やフラップ弁２１等が設置される。
【００１０】
つまりこの横軸ポンプ１０の場合、ケーシング１１をその途中で屈曲することでポンプ内の水路を偏心させ、偏心することで生じたポンプ吸込口３１側の水路の上部空間に駆動機１９を設置している。駆動機１９としてはモータ、エンジン等、種々の駆動機が利用できる。
【００１１】
そして駆動機１９を駆動すると、インペラ１５が回転し、これによって吸込水槽４０側の水がポンプ吸込口３１から吸い込まれ、ポンプ吐出口３３から吐出水槽４５内に吐出される。
【００１２】
この横軸ポンプ１０においては、偏心することで生じるポンプ吸込口３１側の水路の上部空間に駆動機１９を設置したので、水路内に駆動機１９等の駆動部を収納する必要がなく、このためケーシング１１の外径寸法の小型化が図れて駆動機１９を含むポンプ全体の外径寸法の小型化が図れると同時に、駆動機１９のほぼ下側にポンプ吸込口３１を設置できるのでポンプ全体の長さ寸法の小型化も図れる。また駆動機１９がケーシング１１の上部（即ち外部）に設置されるので、そのメンテナンスが容易に行なえる。またポンプ吸込口３１がポンプ吐出口３３よりも低い位置に位置するので、吸込水槽４０のポンプ運転可能水位を低くすることができる。
【００１３】
図２は本発明の他の実施の形態にかかる横軸ポンプ５０を用いた横軸ポンプゲート７０を示す全体概略構成図である。同図に示すようにこの横軸ポンプゲート７０は、上下動することで水路を開閉するゲート７１に排水用の横軸ポンプ５０を組み込んで構成されている。横軸ポンプ５０は、ケーシング５１によって形成されるポンプ内の水路をその途中で偏心（屈曲部６７）させ、これによってポンプ吸込口６１の中心軸がポンプ吐出口６３の中心軸と水平であり且つポンプ吸込口６１の中心軸がポンプ吐出口６３の中心軸よりも下側に位置するようにし、さらにポンプ吐出口６３側の水路内にインペラ５５及びガイドベーン５７を設置し、インペラ５５にその一端を固定したポンプ軸５３を前記ケーシング５１の屈曲部６７からポンプの外部に水平に引き出してその端部に駆動機（水中モータ）５９を連結して構成されている。なおポンプ吐出口６３には、フラップ弁６５が設置されている。
【００１４】
つまりこの横軸ポンプ５０の場合、ケーシング５１をその途中で屈曲することでポンプ内の水路を偏心させ、偏心することで生じたポンプ吸込口６１側の水路の上部空間に駆動機５９を設置している。
【００１５】
そしてゲート７１によって水路を閉じ、駆動機５９を駆動すればインペラ５５が回転し、これによってポンプ吸込口６１から吸い込まれた水がポンプ吐出口６３から吐出、排水される。
【００１６】
この横軸ポンプ５０においても、偏心することで生じるポンプ吸込口６１側の水路の上部空間に駆動機５９を設置したので、ポンプの水路内に駆動機５９等の駆動部を収納する必要がなく、このためケーシング５１の外径寸法の小型化が図れて駆動機５９を含むポンプ全体の外径寸法の小型化が図れると同時に、駆動機５９のほぼ下側にポンプ吸込口６１を設置できるのでポンプ全体の長さ寸法の小型化も図れる。また駆動機５９がケーシング５１の上部（即ち外部）に設置されるので、そのメンテナンスが容易に行なえる。またポンプ吸込口６１がポンプ吐出口６３よりも低い位置に位置するので、ポンプ運転可能水位を低くすることができる。
【００１７】
以上本発明の実施の形態を説明したが、本発明は上記実施の形態に限定されるものではなく、特許請求の範囲、及び明細書と図面に記載された技術的思想の範囲内において種々の変形が可能である。例えば上記実施の形態では本発明を排水設備用やポンプゲート用のポンプとして利用した場合を示したが、他の各種用途に用いる横軸ポンプにも適用できることは言うまでもない。
【００１８】
【発明の効果】
以上詳細に説明したように本発明によれば以下のような優れた効果を有する。
▲１▼ポンプ内の水路をその途中で偏心させ、偏心することで生じるポンプ吸込口側の水路の上部空間に駆動機を設置したので、水路内に駆動機等の駆動部を収納する必要がなく、このため駆動機を含むポンプ全体の小型化が図れる。
【００１９】
▲２▼駆動機がポンプ内の水路の上部（即ち外部）に設置されるので、そのメンテナンスが容易に行なえる。
【００２０】
▲３▼ポンプ吸込口がポンプ吐出口よりも低い位置に位置するので、ポンプ運転可能水位を低くすることができる。
【図面の簡単な説明】
【図１】本発明の一実施の形態にかかる横軸ポンプ１０を示す全体概略構成図である。
【図２】本発明の他の実施の形態にかかる横軸ポンプ５０を用いた横軸ポンプゲート７０を示す全体概略構成図である。
【図３】従来の横軸ポンプ（チューブラポンプ）８０を示す全体概略構成図である。
【図４】従来の横軸ポンプゲート１００を示す全体概略構成図である。
【符号の説明】
１０  横軸ポンプ
１１  ケーシング
１５  インペラ
１７  ガイドベーン
１９  駆動機
２１  フラップ弁
３１  ポンプ吸込口
３３  ポンプ吐出口
４０  吸込水槽
４５  吐出水槽
５０  横軸ポンプ
５１  ケーシング
５３  ポンプ軸
５５  インペラ
５７  ガイドベーン
５９  駆動機（水中モータ）
６１  ポンプ吸込口
６３  ポンプ吐出口
６５  フラップ弁
７０  横軸ポンプゲート
７１  ゲート
【図１】
2004190567.tif 000003
【図２】
2004190567.tif 000004
【図３】
2004190567.tif 000005
【図４】
2004190567.tif 000006